(57)【要約】      （修正有）【課題】信号を送信すること又は受信することができるタッチパネルを提供する。【解決手段】タッチパネル１１は、第一回線があるパネル本体と、プロセッサーと、アンテナ装置を含んでいる。プロセッサーは、一番目の状況において、第一回線を制御し、外力によって感知信号を生じる。アンテナ装置は、二番目の状況において、プロセッサーの制御による第一回線がタッチパネル１１の第一信号を伝送するか、または外からタッチパネル１１に向かって伝送した第二信号を受信する。【選択図】図３Ｂ
0003193767.tif 000002
【実用新案登録請求の範囲】
【請求項１】
第一回線があるパネル本体；
第一状況において、前記第一回線を制御し、外力によって信号を生じるプロセッサー；及び
第二状況において、前記第一回線は前記プロセッサーの制御でタッチパネルの第一信号を外に送信し、又は外からタッチパネルへの第二信号を受信するアンテナ
を有するタッチパネル。
【請求項２】
前記第一信号と前記第二信号はエネルギー又はデータを持つ信号である請求項１に記載のタッチパネル。
【請求項３】
前記外力は接触力と非接触力を含む請求項１に記載のタッチパネル。
【請求項４】
前記パネル本体は第二回線を含み、該第二回線は前記プロセッサーの制御で前記タッチパネルの第一信号を外に送信し、又は外から前記タッチパネルへの第二信号を受信する請求項１に記載のタッチパネル。
【請求項５】
装置を含み、前記第一信号を受信し、前記第二信号を送信する請求項１に記載のタッチパネル。
【請求項６】
前記装置はレシーバ又は発信器である請求項５に記載のタッチパネル。
【請求項７】
前記装置はモバイル装置である請求項５に記載のタッチパネル。
【請求項８】
前記タッチパネルは投影型静電容量方式タッチパネルである請求項１に記載のタッチパネル。
【請求項９】
前記第一信号と前記第二信号はエネルギー又はデータを持つ信号である請求項１に記載のタッチパネル。
【請求項１０】
エネルギーを持つ信号は放射線又は電気である請求項９に記載のタッチパネル。
【請求項１１】
回線があるパネル本体；及び
前記回線を通じて第一信号を外に送信し、又は外からタッチパネルへの第二信号を受信するプロセッサー
を有するパネル。
【考案の詳細な説明】
【技術分野】
【０００１】
本考案はあるタッチパネルに関しており、特に信号を送信すること又は受信することができるタッチパネルのことをいう。
【背景技術】
【０００２】
現在広く使われているタッチパネルは、抵抗膜方式又は静電容量方式であるにもかかわらず、指またはスタイラスから信号を受け取り、計算を通じ座標に変わることによって希望される動作功能に達する。
【０００３】
タッチパネルは操作しやすいヒューマン・マシン・インタフェース装置であり、携帯電話、タブレット型コンピュータ又はノートパソコンなどのモバイル装置に広く使われている。それ故、タッチパネルはヒューマン・マシン・インタフェース装置であることに限ると思われている。
【０００４】
タッチパネルに新しい功能を増やし、また人間の日常生活の利便性を高めるため、本考案が提出された。例えば、携帯電話のバッテリ電源がない場合、或いはピクチャー、データーを送るときに送信媒体がない場合、本考案は解決方法を提供することができる。
【考案の概要】
【０００５】
本考案の一面はあるタッチパネルを提供している。このタッチパネルは、パネル本体に第一回線を含んでいる。プロセッサーがあり、一番目の状況においてプロセッサーは該第一回線を制御し、外力によって感知信号を発生する。アンテナ装置があり、二番目の状況において、アンテナ装置はプロセッサーの制御による該第一回線がタッチパネルの第一信号を外に伝送するか、または外から該タッチパネルに向かって伝送した第二信号を受信する。
【０００６】
本考案の他の一面は、あるパネルを提供している。このパネルはパネル本体、回線を有する。プロセッサーがあり、該回線を通じ第一信号を外に送信するか、又は外から該タッチパネルに向かって伝送した第二信号を受信する。また、本考案の他の面はある信号交換方法を提供する。タッチパネルがあり、該タッチパネルは回線を有し、これをもってワイヤレスで信号を送信又は受信する。ある装置があり、これをもってワイヤレスで信号を送信又は受信する。
【図面の簡単な説明】
【０００７】
【図１】本考案の操作パネルを示す。
【図２】本考案のタッチパネルの断面図を示す。
【図３Ａ】本考案の実施例を示す。
【図３Ｂ】本考案の実施例を示す。
【図３Ｃ】本考案の実施例を示す。
【図３Ｄ】本考案の実施例を示す。
【図３Ｅ】本考案の実施例を示す。
【図３Ｆ】本考案の実施例を示す。
【図３Ｇ】本考案の実施例を示す。
【図４Ａ】本考案の回路を示す。
【図４Ｂ】本考案の回路を示す。
【図５Ａ】本考案の信号を示す。
【図５Ｂ】本考案の信号を示す。
【図６Ａ】本考案の他の実施例を示す。
【図６Ｂ】本考案の他の実施例を示す。
【図６Ｃ】本考案の他の実施例を示す。
【考案を実施するための形態】
【０００８】
本考案実施例の詳細は以下のとおりである。しかし、以下に述べたことの他に、本考案は幅広く他の実施例に応用することができる。つまり、本考案の範囲は提出した実施例に限らず、本考案の出願範囲となっている。
【０００９】
現在広く流行している携帯電話、タブレット型コンピュータ、器械、設備に使われている操作パネルなどの装置では、該操作パネル１０はタッチパネル１１、ディスプレイパネル１２、プロセッサー１３を含んでおり、図１で示したとおりである。タッチパネル１１の表面が外からの外力を受けた場合（例えば、外界物体の押付けや接触による外力、又は電荷を持つ外界物体の押付けや接触による外力）、タッチパネル１１が外力の位置を感知し、該プロセッサー１３で演算処理を行って位置の座標に変換し（大抵はX-方向とY-方向の座標）、ディスプレー１２の画面に対応する位置と功能（例えば、画面のメニューにおける功能の一つ）を実行し、ディスプレーパネル１２に対応する画面を表示させる。本件の実施例において、該外界物体は指またはスタイラスなどのことを言う。
【００１０】
本件はタッチパネル上の回線を利用し、例えば投影型静電容量方式のタッチパネル上の回線、該回線は第一回線と第二回線を含んでおり、該第一回線はX-方向の回線であり、行パターン(column trace)２１と呼ばれ、また第二回線はY-方向の回線であり、列パターン(row trace)２２と呼ばれる。タッチパネルの座標による第一信号をプロセッサー１３に送信する本来タッチコントロールの功能の他には、タッチパネル１１の入力装置を新しい出力装置に変えることができる。すなわち、第二信号をワイヤレスでレシーバに送信することによって、タッチパネルが第二信号の発送という目的を達成できる方法である。本件の実施例の中で、該レシーバはモバイル装置である。例えば、第一状況において、該タッチパネル１１は本来のタッチコントロールの操作を提供することに対し、第二状況において、タッチパネル１１は外に他の功能を実行することができる。したがって、本考案は時間を分割するという方法を使っている。つまり、本来のタッチパネル１１の入力功能にかかる時間を利用し、この時間帯を第一タイムゾーンと第二タイムゾーンに分け、この第一タイムゾーンは第一信号を送るときに使い、第二タイムゾーンはタッチパネル１１が外に第二信号を送るときに使うか、もしくは、タッチパネル１１が外から第三信号を受けるときに使う。また、該第一タイムゾーンと第二タイムゾーンを周期的に組合せて利用することによって、タッチパネル１１は受信/送信の新しい用途を提供できるほか、タッチパネル１１元々のタッチコントロールという功能も維持できる。例えば、前述第一タイムゾーンにおいて、タッチパネル１１が有する行パターン２１と列パターン２２は、タッチパネル１１が外力によって生じた座標を検知でき、この座標を第一信号（制御信号と言い換え可能）に変え、該第一信号がプロセッサー１３に受信と処理される。また、前述第二タイムゾーンにおいて、該行パターン２１と列パターン２２がアンテナの功能を有し、該タッチパネル１１の第二信号をワイヤレスで外に送り、該第二信号はプロセッサー１３から生じ、該行パターン２１と列パターン２２を通じて外に送る。又は該行パターン２１と列パターン２２の受信功能を通じて外の装置からの第三信号を受け取る。
【００１１】
前述の時間帯は第一タイムゾーン、第二タイムゾーンと第三タイムゾーンに分けることができる。第二タイムゾーンにおいて、アンテナ功能を有する該行パターン２１と列パターン２２が、タッチパネル１１の第二信号をワイヤレスで外に送り、該第二信号は該プロセッサー１３から生じ、該行パターン２１と列パターン２２を通じて外に送る。第三タイムゾーンにおいて、受信功能を有する該行パターン２１と列パターン２２は、外来装置からの第三信号を受け取る。
【００１２】
該第二信号はエネルギー又はデータを持つ信号であり、この中に、エネルギーを持つ信号は電気または放射線が含まれており、データを持つ信号はディジタル記録である。実際の応用において、該第二信号はモバイル装置の望まれる功能によってデザインすることができる。例えば、該モバイル装置は携帯電話の場合、バッテリ電源がない時に、本考案のタッチパネル１１を利用し、該プロセッサー１３で第二信号の送信を制御し、ワイヤレスという方式で携帯電話を充電することができる。例えば、該モバイル装置はUSBドライブの場合、ディジタル記録をバックアップして他人に渡したい時に、本考案のタッチパネル１１を利用し、該プロセッサー１３で第二信号の送信を制御し、ワイヤレスという方式で、USBドライブのバックアップしたディジタルを送信することができ、また該タッチパネルはワイヤレスという方式でUSBドライブからの第三信号を受信することができる。例えば、該モバイル装置は二つの違うスタイラスの場合、本考案のタッチパネル１１を利用し、該プロセッサー１３で第二信号の送信を制御し、この二つのスタイラスにそれぞれ識別番号(identification number)を付与し、該スタイラスが同じ又は違う時点でタッチパネル１１に接触したときに、ワイヤレスという方式で該スタイラスが送った第三信号を受け、タッチパネル１１への指令を取り出すことができる。
【００１３】
図２のタッチパネル１１の示した断面図を参照ください。該タッチパネル１１は縦方向の行パターン２１と横方向の列パターン２２を含んでいる。該行パターン２１と列パターン２２は基板２３の上にある。本件の実施例によれば、該行パターン２１と列パターン２２は透明導電材料で構成され、当該透明導電材料は酸化インジウムスズ(Indium Tin Oxide, ITO)、グラフェン(Graphene)、Ａｌドープ酸化亜鉛(Al-doped ZnO, AZO)、酸化亜鉛(zinc oxide, ZnO)、アンチモン(ATO)、ガリウム添加酸化亜鉛(Ga Doped ZnO，GZO)、Ｆドープ酸化錫(F Doped SnO２，FTO)及び、これらが組み合わせられている物の一つである。不透明導電材料で構成される場合もあり、ナノ・シルバー・ワイヤー(Nano Silver wire)又は金属メッシュ(metal mesh)から構成される。該基板２３はガラス基板又はプラスチック基板である。該行パターン２１と列パターン２２の間に絶縁体２４を設置し、該行パターン２１と列パターン２２を電気伝導させないようにする。
【００１４】
投影型静電容量方式のタッチパネルを例にすれば、第一タイムゾーンにおいて、該タッチパネル１１は信号レシーブ装置とし、該行パターン２１と列パターン２２が有する電場を持つパワーライン３１の配置は図３Ａの示すとおりである。図３Ａが示したように、該行パターン２１と列パターン２２が基板２３の表面に設置されており、絶縁体２４は該行パターン２１と列パターン２２の間に設置されている。外界物体３２は該タッチパネル１１の表面のある所に外力を与えた場合、該パワーライン３１が遮られ、該パワーライン３１がその所にある該行パターン２１の検知エネルギーに影響する。第二タイムゾーンにおいて、該タッチパネル１１は信号出力装置とし、該第二信号を外に送信する時に、該パワーライン３１が列パターン２２から外に送り(図３Ｂの示したとおり)、該行パターン２１から外に送り(図３Ｃの示したとおり)，又は列パターン２２と行パターン２１と共に同時に信号レシーバ３３に信号を送る(図３Ｄの示したとおり)。該第三タイムゾーンにおいて、該タッチパネル１１が信号入力装置とし、発信器３４からの第三信号を受信する時に、該パワーライン３１が該列パターン２２から受信し(図３Ｅの示したとおり)、該行パターン２１から受信し(図３Ｆの示したとおり)、又は列パターン２２と行パターン２１と共に同時に信号を受信する(図３Ｇの示したとおり)。
【００１５】
図４Ａの示した本件タッチパネル１１の回線図を参照ください。該タッチパネル１１は投影型静電容量方式タッチパネルの場合、等価回路は図４Ｂで示したとおり、この行パターン２１と列パターン２２の交差点は該タッチパネル１１の感知画素（sensing pixel）４１，一つの感知画素４１は一つのキャパシタ装置４２で形成される。また、あらゆる行パターン２１と列パターン２２はそれぞれプロセッサー１３と電気連結している。抵抗膜式タッチパネルを例にすれば、當タッチパネル１１が元々の功能を実行した場合、ある外界物体３２は、例えば指又はスタイラスで該タッチパネル１１のある所に接触する時に、該行パターン２１と該列パターン２２の抵抗率変化の信号が該プロセッサー１３に受信され、該プロセッサー１３はこれによって、該タッチパネル１１の相応する座標を判断する。投影型静電容量方式タッチパネルを例にすれば、ある外界物体３２，例えば指又はスタイラスで該タッチパネル１１のある所に接触する時に、該行パターン２１と列パターン２２の静電容量変化の信号が該プロセッサー１３に受信され、該プロセッサー１３はこれによって該タッチパネル１１の相応する座標を判断する。該行パターン２１と列パターン２２の形状と配置について、該抵抗膜式タッチパネル又は投影型静電容量方式タッチパネルのニーズによって、設計することができる。
【００１６】
投影型静電容量方式タッチパネルを例にすれば、図５Ａの示したとおり、この中の点線は基準電圧５０のことである。例えば、第一周期の第一タイムゾーンにおいて、該タッチパネル１１が外力を検知しない時に、該プロセッサー１３が第一信号５１を送り、この時の該行パターン２１と列パターン２２の間の電圧は基準電圧５０より高い。その後、第一周期の第二タイムゾーンにおいて、該プロセッサー１３から第二信号５２を生じ、該タッチパネルの行パターン２１と列パターン２２を通じて外に送信する。その後、第一周期の第三タイムゾーンにおいて、該プロセッサー１３は該タッチパネルの行パターン２１、列パターン２２、又は行パターン２１と列パターン２２を通じて外からの第三信号５３を受信する。
【００１７】
本件の実施例によれば、タッチパネル１１のタッチ操作を使わないときに、第一タイムゾーンをキャンセルし、該タッチパネル１１に第二タイムゾーンの功能だけを実行することができる。つまり、該プロセッサー１３から第二信号５２を生じ、該タッチパネルの行パターン２１と列パターン２２を通じて外に送信する。或いは、該プロセッサー１３は該タッチパネルの行パターン２１、列パターン２２、又は行パターン２１と列パターン２２を通じて外からの第三信号５３を受信する。
【００１８】
前述の外に送る第二、三信号は必ず信号の種類によって設計される。例えば、該第二、三信号の何れも図５Ｂ示したとおりの第五信号５６に設計される。
【００１９】
本件の実施例によれば、タッチパネル１１の中で元々回線のないエリアに、非有効領域と呼ばれているエリアに、第三回線(図に示していない)と第四回線(図に示していない)を設置することができ、この断面図は図２と同じであり、ただ該第三回線が第一回線を取って代わり、該第四回線が第二回線を取って代わる。その時、前述の第一タイムゾーンにおける第一回線と第二回線、及び第二タイムゾーンにおける第三、四回線は違う回線である。
【００２０】
本件の実施例によれば、第一タイムゾーンと第二タイムゾーンの時間分割について、希望するどんな周期のタイムゾーンもデザインすることができる。例えば、第一タイムゾーンの長さはタッチ操作功能に応じなければならない。更に、望む功能によって、同じ周期の中で第四、第五タイムゾーンも分割することができる。
【００２１】
図６Ａを参照ください。これは、タッチパネル１１を利用して外界のスタイラス６１を充電するとの実施例である。該スタイラス６１は電力モジュール°６２とドライブライン６３を含んでいる。該電力モジュール６２の電気量が低い時に、該ドライブライン６３を通じて、タッチパネル１１の行パターン２１と列パターン２２が形成されるパワーライン６４を持ち、電場を電気に転換し、この電気を電力モジュール ６２に蓄えることによって該スタイラス６１への充電という目的に達成する。
【００２２】
図６Ｂを参照ください。これはスタイラス７１を利用するとの実施例である。該スタイラス７１は電力モジュール７２、ドライブライン７３と通信記憶ブロック７４を含んでいる。該スタイラス７１は該行パターン２１と列パターン２２からのパワーライン７５を持つ周波パルスを受信し、該周波パルスは該スタイラス７１の識別番号を有し、識別番号が通信記憶ブロック７に記憶され、該プロセッサー１３が該スタイラス７１を識別する時の根拠とする。よって、該タッチパネル１１は、第一タイムゾーンにおいて、該スタイラス７１が該タッチパネル１１に外力を与えることによって該プロセッサー１３に相応する座標を検知させ、また該タッチパネル１１が該プロセッサー１３に識別番号を送り、該プロセッサー１３は識別番号でどのスタイラス７１が該タッチパネル１１に外力を与えたのか識別できる。この功能と利点は、二つ以上のスタイラスの場合、より鮮明になる。
【００２３】
図６Ｃを参照ください。これは本件の他の実施例であり、スタイラス８１に応用される。該スタイラス８１は電力モジュール８２、ドライブライン８３と保存デバイス８４を含んでいる。この実施例は前述した実施例と同じ原理で、ただタッチパネル１１のパワーライン８５を持つ出力信号はデータ信号であり、該データ信号は転換された後に該スタイラス８１に保存される。この実施例はUSBドライブにも応用できる。
【００２４】
以上に述べた本考案の実施例は、本考案実施への理解を深めるためのものであり、本考案の出願範囲を制限することではない。したがって、この領域に詳しい人物が本考案を熟知すれば、他の思案を加えて修正することができるので、本件の出願保護範囲については、後述の出願範囲又はこれに類する範囲で決めることとする。
【実施例】
【００２５】
１．あるタッチパネル、以下のものを有する：パネル本体、第一回線がある；プロセッサー、第一状況において、該第一回線を制御し、外力によって信号を生じる；アンテナ、第二状況において、該第一回線は該プロセッサーの制御で該タッチパネルの第一信号を外に送信し、又は外から該タッチパネルへの第二信号を受信する。
【００２６】
２．実施例１で述べたタッチパネル、その中の第一信号と該第二信号はエネルギー又はデータを持つ信号である。
【００２７】
３．実施例１〜２で述べたタッチパネル、その中の外力は接触力と非接触力を含む。
【００２８】
４．実施例１〜３で述べたタッチパネル、その中のパネル本体は第二回線を含む。該第二回線は該プロセッサーの制御で該タッチパネルの第一信号を外に送信し、又は外から該タッチパネルへの第二信号を受信する。
【００２９】
５．実施例１〜４で述べたタッチパネル、ある装置を含み、該第一信号を受信し、該第二信号を送信する。
【００３０】
６．実施例１〜５で述べたタッチパネル、該装置はレシーバ又は発信器である。
【００３１】
７．実施例１〜６で述べたタッチパネル、該装置はモバイル装置である。
【００３２】
８．実施例１〜７で述べたタッチパネル、該タッチパネルは投影型静電容量方式タッチパネルである。
【００３３】
９．実施例１〜８で述べた之タッチパネル、該第一信号と第二信号はエネルギー又はデータを持つ信号である。
【００３４】
１０．実施例１〜９で述べたタッチパネル、エネルギーを持つ信号は放射線又は電気である。
【００３５】
１１．あるパネル、以下のものを有する：
パネル本体、回線がある；プロセッサー、該回線を通じて第一信号を外に送信し、又は外から該タッチパネルへの第二信号を受信する。
【符号の説明】
【００３６】
１０  操作パネル
１１  タッチパネル
１２  ディスプレーパネル
１３  プロセッサー
２１  行パターン
２２  列パターン
２３  基板
２４  絶縁体
３１、６４、７５、８５  パワーライン
３２  外界物体
３３  レシーバ
３４  発信器
４１  感知画素
４２  キャパシタ装置
５０  基準電圧
５１  第一信号
５２  第二信号
５３  第三信号
５６  第五信号
６１、７１、８１  スタイラス
６２、７２、８２  電力モジュール 
６３、７３、８３  ドライブライン
７４  通信記憶ブロック
８４  保存デバイス
【図１】
0003193767.tif 000003
【図２】
0003193767.tif 000004
【図３Ａ】
0003193767.tif 000005
【図３Ｂ】
0003193767.tif 000006
【図３Ｃ】
0003193767.tif 000007
【図３Ｄ】
0003193767.tif 000008
【図３Ｅ】
0003193767.tif 000009
【図３Ｆ】
0003193767.tif 000010
【図３Ｇ】
0003193767.tif 000011
【図４Ａ】
0003193767.tif 000012
【図４Ｂ】
0003193767.tif 000013
【図５Ａ】
0003193767.tif 000014
【図５Ｂ】
0003193767.tif 000015
【図６Ａ】
0003193767.tif 000016
【図６Ｂ】
0003193767.tif 000017
【図６Ｃ】
0003193767.tif 000018
【手続補正書】
【提出日】平成26年8月14日(2014.8.14)
【手続補正１】
【補正対象書類名】実用新案登録請求の範囲
【補正対象項目名】全文
【補正方法】変更
【補正の内容】
【実用新案登録請求の範囲】
【請求項１】
第一回線があるパネル本体；
第一状況において、前記第一回線を制御し、外力によって信号を生じるプロセッサー；及び
第二状況において、前記第一回線は前記プロセッサーの制御でタッチパネルの第一信号を外に送信し、又は外からタッチパネルへの第二信号を受信するアンテナ
を有するタッチパネル。
【請求項２】
前記第一信号と前記第二信号はエネルギー又はデータを持つ信号である請求項１に記載のタッチパネル。
【請求項３】
前記外力は接触力と非接触力を含む請求項１に記載のタッチパネル。
【請求項４】
前記パネル本体は第二回線を含み、該第二回線は前記プロセッサーの制御で前記タッチパネルの第一信号を外に送信し、又は外から前記タッチパネルへの第二信号を受信する請求項１に記載のタッチパネル。
【請求項５】
装置を含み、前記第一信号を受信し、前記第二信号を送信する請求項１に記載のタッチパネル。
【請求項６】
前記装置はレシーバ又は発信器である請求項５に記載のタッチパネル。
【請求項７】
前記装置はモバイル装置である請求項５に記載のタッチパネル。
【請求項８】
前記タッチパネルは投影型静電容量方式タッチパネルである請求項１に記載のタッチパネル。
【請求項９】
エネルギーを持つ信号は放射線又は電気である請求項２に記載のタッチパネル。